(57)【要約】【課題】  書類を接着テープを用いて簡単に綴じることができる綴じ構造および綴じ方法を提供する。【解決手段】  図２（Ａ）に示すように、書類１０に穴１０ｘを形成した後、図２（Ｂ）に示すように、接着テープ２０の中央部を書類の辺縁１０ａに当て、部位２１，２２を書類１０の表側の面１０ｙと裏側の面１０ｚに接着する。これにより接着テープ２０の中央部が辺縁１０ａを巻き込み、部位２１，２２が穴１０ｘを覆う。次に、図２（Ｃ）に示すように、部位２１，２２同士を穴１０ｘにおいて接着する。これにより、書類１０の綴じ工程が完了する。【選択図】  図２
2005297355.tif 000002
【特許請求の範囲】
【請求項１】
接着テープが書類の辺縁の一部を巻き込むようにして書類の表側と裏側の面に接着され、この接着テープの表側の部位と裏側の部位が、書類の辺縁近傍に形成された穴において互いに接着されていることを特徴とする書類の綴じ構造。
【請求項２】
書類の辺縁近傍に穴を明ける工程と、
接着テープを、上記書類の辺縁の一部を巻き込むとともに上記穴を覆うようにして書類の表側と裏側の面に接着する工程と、
上記接着テープの表側の部位と裏側の部位を、穴の位置で押し付けて接着する工程と、
を備えたことを特徴とする書類の綴じ方法。
【請求項３】
プラスチックテープが書類の辺縁の一部を巻き込むようにして書類の表側と裏側の面に添い、このプラスチックテープの表側の部位と裏側の部位が、書類の辺縁近傍に形成された穴において互いに溶着されていることを特徴とする書類の綴じ構造。
【請求項４】
書類の辺縁近傍に穴を明ける工程と、
プラスチックテープを、上記書類の辺縁の一部を巻き込むとともに上記穴を覆うようにして書類の表側と裏側の面に添わせる工程と、
上記プラスチックテープの表側の部位と裏側の部位を穴の位置で溶着する工程と、
を備えたことを特徴とする書類の綴じ方法。
【発明の詳細な説明】
【技術分野】
【０００１】
本発明は、テープを用いて書類を綴じる構造及び方法に関する。
【背景技術】
【０００２】
書類を綴じる方法として最も普及しているのはステープラーを用いる方法である。この方法では、コ字形の金属針の両端を書類に貫通させ、この両端を書類の裏側の面に沿って折り曲げる。しかし、金属針を用いて書類を綴じると、綴じた書類を複数重ねた場合に綴じ部分だけが厚くなってしまう欠点があった。また食品や薬品製造の現場では、食品や薬品に金属針が混入するのを避けるため、金属針で綴じた書類を置くことは許されない。
【０００３】
そこで、金属針を用いない書類の綴じ構造，綴じ方法が種々提案されている。例えば、特許文献１では、２枚の接着ラベルを書類の辺縁近傍に形成された穴を覆うようにして書類の表側および裏側の面に接着し、これら表側の接着ラベルと裏側の接着ラベルを上記穴で圧着することにより、書類を綴じている。
【０００４】
また、特許文献２では、書類の辺縁近傍に形成された穴に接着テープを通して、書類の表側と裏側の面に接着することにより、書類を綴じている。
【特許文献１】特開平１１−２４５５７３号公報
【特許文献２】特開２００４−３４６４０号公報
【発明の開示】
【発明が解決しようとする課題】
【０００５】
特許文献１の綴じ方法では、接着ラベルを２枚用いるためその作業が煩雑であった。また、接着ラベル同士を穴において接着するだけで書類を綴じるので、綴じ強度が低かった。
特許文献２の綴じ方法では、接着テープを穴に通す必要があり、作業が煩雑であった。
【課題を解決するための手段】
【０００６】
本発明は上記課題を解決するためになされたものであり、書類の綴じ構造において、接着テープが書類の辺縁の一部を巻き込むようにして書類の表側と裏側の面に接着され、この接着テープの表側の部位と裏側の部位が、書類の辺縁近傍に形成された穴において互いに接着されていることを特徴とする。また、書類の綴じ方法において、書類の辺縁近傍に穴を明ける工程と、接着テープを、上記書類の辺縁の一部を巻き込むとともに上記穴を覆うようにして書類の表側と裏側の面に接着する工程と、上記接着テープの表側の部位と裏側の部位を、穴の位置で押し付けて接着する工程と、を備えたことを特徴とする。
【０００７】
上記綴じ構造および綴じ方法によれば、簡単な作業で書類を綴じることができる。しかも、接着テープの表側の部位と裏側の部位は一連をなしているので綴じ強度を高めることができる。さらに、この穴での接着が解除されても、書類が完全にばらつくことはない。
【０００８】
本発明の他の態様では、書類の綴じ構造において、プラスチックテープが書類の辺縁の一部を巻き込むようにして書類の表側と裏側の面に添い、このプラスチックテープの表側の部位と裏側の部位が、書類の辺縁近傍に形成された穴において互いに溶着されていることを特徴とする。また、書類の綴じ方法において、書類の辺縁近傍に穴を明ける工程と、プラスチックテープを、上記書類の辺縁の一部を巻き込むとともに上記穴を覆うようにして書類の表側と裏側の面に添わせる工程と、上記プラスチックテープの表側の部位と裏側の部位を穴の位置で溶着する工程と、を備えたことを特徴とする。
【０００９】
上記綴じ構造および綴じ方法によれば、簡単な作業で書類を綴じることができる。しかも、接着テープの表側の部位と裏側の部位は一連をなしているので綴じ強度を高めることができる。
【発明の効果】
【００１０】
本発明によれば、接着テープやプラスチックテープを用いて簡単に書類を綴じることができるとともに、綴じ強度が高い。
【発明を実施するための最良の形態】
【００１１】
以下、本発明の一実施形態を図１，図２を参照しながら説明する。図において符号１０は書類を示す。この書類１０は、複数例えば３枚の紙葉１１〜１３を揃えて重ねることにより構成されている。この書類１０の辺縁１０ａの近傍には穴１０ｘが形成されている。
【００１２】
図１，図２（Ｃ）に示すように、書類１０は、市販のセロハンテープと同様の接着テープ２０により綴じられている。詳述すると、接着テープ２０の一方の面には接着剤が塗布されて接着面２０ａとなっている。接着テープ２０は、接着面２０ａを内側にして、中央部が書類の辺縁１０ａの一部を巻き込むようにして折られている。接着テープ２０の表側の部位２１は、上記穴１０ｘを覆うとともに書類１０の表側の面１０ｙすなわち紙葉１１の外面に接着され、裏側の部位２２は穴１０ｘを覆うとともに書類１０の裏側の面１０ｚすなわち紙葉１３の外面に接着されている。さらに、表側の部位２１と裏側の部位２２の接着面２０ａ同士が、穴１０ｘにおいて接着されている。
【００１３】
上記書類１０の綴じ構造において、接着テープ２０の表側の部位２１と裏側の部位２２が辺縁１０ａの巻き込み部を介して一連をなしており、書類１０の紙葉１１〜１３を引き剥がす力が作用したときにその力の一部をこの巻き込み部で負担し、穴１０ｘでの部位２１，２２の接着部に加わる力を軽減することができるので、綴じ強度を高めることができる。また、この穴での部位２１，２２同士の接着が解除されても、部位２１，２２が表側の紙葉１１，裏側の紙葉１３に接着され、しかも巻き込み部を介して連続しているので、書類が完全にばらつくことはない。
【００１４】
次に、上記書類１０の綴じ方法について詳述する。まず、図２（Ａ）に示すように、書類１０の紙葉１１〜１３を揃えた状態で、書類１０の辺縁１０ａ近傍にパンチにより穴１０ｘを形成する。
【００１５】
次に、図２（Ｂ）に示すように、接着テープ２０の接着面２０ａの中央部を書類の辺縁１０ａに当て、部位２１，２２を書類１０の表側の面１０ｙと裏側の面１０ｚに接着する。これにより接着テープ２０の中央部が辺縁１０ａを巻き込み、部位２１，２２が上記穴１０ｘを覆う。
【００１６】
次に、図２（Ｃ）に示すように、部位２１，２２において、穴１０ｘに対応する箇所を両側から加圧することにより、部位２１，２２同士を穴１０ｘにおいて接着する。この加圧は、穴１０ｘより小径のパンチ等を用いて行なう。これにより、書類１０の綴じ工程が完了する。
【００１７】
上述したように、接着テープ２０は部位２１，２２を含めて一続きの１枚のテープからなり、しかも接着テープ２０を穴１０ｘに挿通させる工程もないので、簡単に書類１０を綴じることができる。
【００１８】
なお図２では、理解を容易にするために紙葉１１〜１３および接着テープ２０の厚さを誇張して示しており、上記穴１０ｘにおける接着テープ２０の窪みも誇張して示されている。
【００１９】
図２（Ｂ），（Ｃ）の工程はほぼ同時に行なってもよい。例えば部位２１，２２全域を紙葉１１〜１３とともに強く押し付けることによって、部位２１，２２の書類１０の面１０ｙ、１０ｚへの接着と部位２１，２２同士の接着を同時に行なう。
【００２０】
図２では、接着テープ２０の部位２１，２２を両側から加圧したが、図３に示すように一方側例えば表側だけから加圧して穴１０ｘでの部位２１，２２同士の接着を行なってもよい。なお、本実施形態では、接着テープ２０は、セロハン以外のプラスチック，紙，布等、種々の材質のものを用いることができる。
【００２１】
上記接着テープ２０の代わりにプラスチックテープを用いてもよい。プラスチックテープに接着テープと同じ符号２０を付して、図２を参照しながら説明する。図２（Ａ）の工程の後、図２（Ｂ）の工程では、プラスチックテープ２０の中央部を書類１０の辺縁１０ａに当てて折り、表側の部位２１と裏側の部位２２を、書類１０の表側の面１０ｙ、裏側の面１０ｚに接着せず添わせる。図２（Ｃ）または図３の工程では、プラスチックテープ２０の部位２１，２２を穴１０ｘにおいて熱溶着ないしは超音波,高周波,レーザー等を用いた手段で溶着する。
【００２２】
上記実施形態では辺縁１０ａの近傍に１つの穴１０ｘを形成したが、辺縁に沿って２個またはそれ以上の穴を形成してもよい。このように複数の穴を形成する場合には、穴毎に独立した複数のテープにより綴じてもよいし、辺縁に沿って延びた１つのテープにより複数の穴を覆うようにして綴じてもよい。
【図面の簡単な説明】
【００２３】
【図１】本発明の一実施形態に係わる綴じ構造を有する書類の斜視図である。
【図２】（Ａ）〜（Ｃ）は本発明の一実施形態に係わる書類の綴じ方法を工程順に示す拡大断面図であり、（Ｃ）は図１におけるＩＩ−ＩＩ線に沿う拡大断面図でもある。
【図３】本発明方法の他の実施形態を示す図２（Ｃ）相当図である。
【符号の説明】
【００２４】
１０  書類
１０ａ  書類の辺縁
１０ｘ  穴
１０ｙ  表側の面
１０ｚ  裏側の面
２０  接着テープまたはプラスチックテープ
２１  表側の部位
２２  裏側の部位
【図１】
2005297355.tif 000003
【図２】
2005297355.tif 000004
【図３】
2005297355.tif 000005